(57)【要約】  本発明は、消費財のための容器（１００）に関する。容器は、容器の後壁を横切って延びるヒンジ線の周りに閉じた位置と開いた位置の間でピボット回転可能な蓋（１０４）を含む。容器はまた、少なくとも１つのスリット（１０８）を含む開口部を有する箱（１０２）を含み、その又は各スリットは、箱の前壁のそれぞれの縁部に位置付けられて開口部から延びている。蓋（１０４）は、箱（１０２）上にそれが箱の開口部に一致するように取り付けられ、それによって蓋の閉じた位置では、蓋は、箱の少なくとも１つのスリット（１０８）と係合して蓋を閉じた位置に保持する。本発明はまた、上述の容器を形成するための単一の積層ブランクを提供することに拡張される。【選択図】図１（ｂ）
2014533641.tif 000002
【特許請求の範囲】
【請求項１】
消費財のための容器であって、
容器の後壁を横切って延びるヒンジ線の周りに閉じた位置と開いた位置の間でピボット回転可能な蓋と、
少なくとも１つのスリットを含む開口部を有する箱であって、該又は各スリットが、該箱の前壁のそれぞれの縁部に位置付けられて該開口部から延びる前記箱と、
を含み、
前記蓋は、前記箱上にそれが該箱の前記開口部に一致するように取り付けられ、それによって該蓋の閉じた位置で、該蓋は、該箱の前記又は各スリットと係合して該蓋を閉じた位置に保持する、
ことを特徴とする容器。
【請求項２】
前記箱は、２つのスリットを含み、各スリットが、該箱の前壁のそれぞれの縁部に位置付けられて前記開口部から延びることを特徴とする請求項１に記載の容器。
【請求項３】
前記２つのスリットは、前記箱の前記前壁から延びる弾性フラップを形成し、それによって前記蓋の第２の閉じた位置で、該弾性フラップは、該蓋に作用して該蓋を該第２の閉じた位置に保持することを特徴とする請求項２に記載の容器。
【請求項４】
前記弾性フラップは、該弾性フラップの少なくとも１つの自由縁を硬くするようになった少なくとも１つの補強要素を含むことを特徴とする請求項３に記載の容器。
【請求項５】
前記少なくとも１つの補強要素は、前記弾性フラップと一体であることを特徴とする請求項４に記載の容器。
【請求項６】
前記弾性フラップの前記自由縁は、面取りされたコーナ又は丸みを付けたコーナを有することを特徴とする請求項３、請求項４、又は請求項５のいずれか１項に記載の容器。
【請求項７】
前記蓋は、開いた時、閉じた時、又は開いた時及び閉じた時に可聴音が発生するように前記弾性フラップと相互作用するようになっていることを特徴とする請求項３から請求項６のいずれか１項に記載の容器。
【請求項８】
前記蓋は、該蓋の少なくとも１つの自由縁を強化するようになった少なくとも１つの補強要素を含むことを特徴とする請求項１から請求項７のいずれか１項に記載の容器。
【請求項９】
前記蓋は、内側ハウジングの少なくとも一部分を形成し、前記箱は、外側ハウジングの少なくとも一部分を形成し、
前記内側ハウジングは、前記消費財を収納するようになっている、
ことを特徴とする請求項１から請求項８のいずれか１項に記載の容器。
【請求項１０】
前記外側ハウジングは、前記前壁及び前記後壁に隣接して前記内側ハウジングの前記側壁を超えて延びるようになった側壁を有し、それによって前記蓋の閉じた位置で、該外側ハウジング側壁は、該蓋の前記側壁と少なくとも部分的に重なることを特徴とする請求項９に記載の容器。
【請求項１１】
前記外側ハウジング及び前記内側ハウジングは、単一の積層ブランクから一体的に形成されることを特徴とする請求項１０に記載の容器。
【請求項１２】
前記蓋の少なくとも１つの壁が、前記内側ハウジング及び前記外側ハウジングと一体であることを特徴とする請求項１１に記載の容器。
【請求項１３】
複数の喫煙物品を含むことを特徴とする請求項１から請求項１２のいずれか１項に記載の容器。
【請求項１４】
請求項１０に従属する時の請求項１０から請求項１３のいずれか１項に記載の容器を形成するための積層ブランクであって、
内側ハウジングを形成する第１の部分であって、該内側ハウジングの蓋を形成するために該第１の部分の後壁パネルを横切って延びる１つ又はそれよりも多くの切り込み及びヒンジ線を含む前記第１の部分と、
外側ハウジングを形成する第２の部分であって、該外側ハウジングに開口部を形成するための１つ又はそれよりも多くの切り欠きを含む前記第２の部分と、
を含み、
前記第２の部分は、前記外側ハウジングの少なくとも１つのスリットを形成するための少なくとも１つの切り込みを更に含む、
ことを特徴とする積層ブランク。
【請求項１５】
前記第２の部分は、前記蓋の少なくとも１つの壁パネルを形成するために該第２の部分の後壁パネルを横切って延びる１つ又はそれよりも多くの切り込み及びヒンジ線を更に含むことを特徴とする請求項１４に記載の積層ブランク。
【発明の詳細な説明】
【技術分野】
【０００１】
本発明は、消費財のための新規な容器に関する。本発明はまた、消費財のための容器を製造するのに使用する単一の積層ブランクに関する。この容器は、シガレットのような細長い喫煙物品のための容器として特定の用途を見出す。
【背景技術】
【０００２】
折り畳んだ積層ブランクから形成された容器に細長い喫煙物品及び他の消費財を包装することは公知である。一般的に、容器は、ハウジングと蓋を含む。例えば、シガレット及びシガーのような細長い喫煙物品は、喫煙物品を収納する箱と、容器の後壁を横切って延びるヒンジ線の周りで箱に接続した蓋とを有するヒンジ蓋パックで一般的に販売される。一般的に、蓋は、ハウジングの上部に位置決めされ、かつ容器の後壁に沿ってヒンジ接続される。一般的に、蓋及びハウジングは、蓋が閉じた位置にある時に蓋の自由縁とハウジングの自由縁が当接するように配置される。そのようなパックは、典型的には、ワンピースの積層ボール紙ブランクから構成される。使用に際して、蓋は、ヒンジ線の周りにピボット回転してパックを開き、こうして箱内に保持された喫煙物品へのアクセスが得られる。そのような容器には、蓋が歪んでいるために蓋とハウジングが正しく位置合わせせず、容器の前面上で蓋と箱部分の間に間隙が見えるような問題が時に生じる場合があることは公知である。これは、「微笑み」効果と呼ばれることがある。
【発明の概要】
【発明が解決しようとする課題】
【０００３】
新規な容器を提供することが望ましいであろう。そのような容器が従来の方法及び装置を使用して効率的に組み立てられ、かつ充填されれば、特に望ましいと考えられる。容器がより丈夫な蓋及びより確実な閉鎖効果を備えて提供されれば同じく望ましいであろう。
【課題を解決するための手段】
【０００４】
本発明の第１の態様により、消費財のための容器を提供する。容器は、容器の後壁を横切って延びるヒンジ線の周りに閉じた位置と開いた位置の間でピボット回転可能な蓋を含む。また、少なくとも１つのスリットを含む開口部を有する箱が設けられ、少なくとも１つのスリットは、箱の前壁のそれぞれの縁部に位置付けられ、開口部から延びている。蓋は、箱上にその開口部に一致するように取り付けられ、それによって蓋は、蓋の閉じた位置で箱の少なくとも１つのスリットと係合し、閉じた位置に蓋が保持される。
【０００５】
箱に蓋と係合する少なくとも１つのスリットを設けることにより、容器は、摩擦を利用してより確実に閉じることができる。好ましくは、少なくとも１つのスリットは、小円鋸歯状、波形、又は山状の縁部を含むことができ、こうすれば容器は、更に確実に閉じられる。本明細書で用いる用語「係合する」は、閉じた位置で蓋の１つ又は複数の前部コーナが少なくとも１つのスリット内に置かれることを意味する。
【０００６】
箱は、前壁、後壁、底壁、第１の側壁、及び第２の側壁を含むことができる。蓋は、前壁、後壁、上壁、第１の側壁、及び第２の側壁を含むことができる。
【０００７】
本発明による容器の部品の相対位置を説明するのに用いる用語「前」、「後」、「上側」、「下側」、「側部」、「上部」、「底部」、「左」、「右」、及び他の用語は、取り出す消費財が通る開口部が先端にあり、かつヒンジが後部にある直立位置の容器を参照する。容器の後壁は、ヒンジ線を含む壁である。
【０００８】
用語「縦方向」は、底部から上部への方向又はその反対方向を指す。用語「横断方向」は、縦方向と垂直な方向を指す。
【０００９】
容器は、２つの狭い壁で離間した２つの広い壁を含む矩形平行六面体であることが好ましい。
【００１０】
用語「ヒンジ線」は、容器を開くために蓋がその周りにピボット回転することができる線を指す。ヒンジ線は、例えば、容器の後壁を形成するパネル内の折り畳み線又は刻み線とすることができる。
【００１１】
箱は、２つのスリットを含み、各スリットは、箱の前壁の各縁部に位置付けられ、開口部から延びることが好ましい。２つのスリットは、箱の前壁から延びる弾性フラップを形成し、それによって蓋の第２の閉じた位置では、弾性フラップは、蓋に作用して蓋を第２の閉じた位置に保持することがより好ましい。弾性フラップを設けることより、容器は、第２の閉じた位置に閉じることができる。第１の閉じた位置は、蓋が弾性フラップの外側に置かれ、かつ少なくとも１つのスリットと係合する閉じた位置として定義される。第２の閉じた位置は、蓋が弾性フラップの内側に置かれ、かつ蓋の外部面に作用する弾性フラップによって閉じた状態に保持される閉じた位置として定義される。従って、蓋が閉じた位置にある時に、蓋前壁パネルは、弾性フラップと重なることができる。第１の閉じた位置では、蓋及び弾性フラップは、弾性フラップが見えないように重なることができる。第２の閉じた位置では、蓋及び弾性フラップは、弾性フラップが見えるように重なることができる。
【００１２】
弾性フラップの高さは、蓋の高さの少なくとも５０パーセントとすることができる。弾性フラップの高さは、スリットの基部から弾性フラップの上部自由縁まで測定することができる。蓋の高さは、自由縁から蓋の上部まで測定することができる。弾性フラップの高さは、蓋の高さの少なくとも７０パーセントとすることが好ましく、蓋の高さの少なくとも８０パーセントとすることがより好ましい。
【００１３】
弾性フラップは、弾性フラップの少なくとも１つの自由縁を硬くするようになった少なくとも１つの補強要素を含むことができる。本明細書で用いる硬くするは、容器のパネルをより硬くし、従って、少なくとも１つの所定方向の曲げに対してそのパネルに加わる曲げ力に耐性を与えることとして定義される。少なくとも１つの補強要素は、弾性フラップと一体化することが好ましい。補強要素は、弾性フラップの自由縁から垂下し、かつ容器の内部に向けて折り畳まれてその後に弾性フラップの内面に取り付けられるようになったフラップとすることができる。従って、弾性フラップは、硬くすることが必要になる領域で材料の厚みを２倍にすることによって強化することができる。
【００１４】
代替的に、弾性フラップは、各々が自由縁から垂下するフラップの形態とされた２つ又はそれよりも多くの補強要素を含むことができる。一実施形態において、フラップは、フラップを容器の内部に向けて折り畳む時に蓋前壁の中央に三角形状が形成されるように配置される。
【００１５】
以下に認められるように、フラップの多数の構成を与えれば、弾性フラップの自由縁を形成する様々な種類の形状がもたらされる。例えば、３つの補強フラップを用いて台形の自由縁を設けることができ、又は２つの補強フラップを用いて中央からずれた三角形を設けることができる。
【００１６】
代替的に、容器の側壁に対して垂直でないただ１つの補強要素を用いて直線状縁を設けることができる。この場合に、蓋に係合するようになった１つのスリットが設けられる。従って、蓋は、１つのコーナで係合するのみであり、他のコーナは、単に弾性フラップの自由縁に当接するに過ぎない。
【００１７】
弾性フラップの自由縁は、面取りしたコーナ又は丸みを付けたコーナを有することができる。代替的に、自由縁は、半球形状、小円鋸歯状、波形、山状、又はあらゆる不均一な形状のようなあらゆる適切な形状を有することができる。
【００１８】
蓋は、開いた時、閉じた時、又は開いた時及び閉じた時に、弾性フラップと相互作用して可聴音が発生するようになっていることが好ましい。
【００１９】
蓋は、その少なくとも１つの自由縁を強化するようになった少なくとも１つの補強要素を含むことが好ましい。補強要素は、蓋の自由縁から垂下し、かつ容器の内部に向けて折り畳まれてその後に蓋の内面に取り付けられるようになったフラップとすることができる。従って、蓋の自由端は、蓋の自由端に使用する材料の厚みを２倍にすることによって強化することができる。そのような補強要素を設けることにより、「微笑み」効果は低減することができる。更に、容器は、確実に閉じることができる。更に、蓋の自由縁から垂下するフラップの使用により、いわゆる「鈍い縁」又は「印刷された縁」が形成されるので、容器の審美性を改善することができる。この説明で用いる用語「鈍い縁」又は「印刷された縁」は、切り込みではなく、折り畳みによって生成され、従って、丸み付き縁が形成される縁を意味する。
【００２０】
容器は、外側部分及び内側部分を含むことができる。蓋は、内側ハウジングの少なくとも一部分を形成し、箱は、外側ハウジングの少なくとも一部分を形成することが好ましい。この場合に、内側ハウジングは、消費財を収納するようになっている。外側ハウジングは、前壁及び後壁に隣接し、かつ内側ハウジングの側壁を超えて延びるようになった側壁を有し、それによって蓋の閉じた位置で外側ハウジング側壁は、蓋の側壁に少なくとも部分的に重なることが好ましい。蓋が閉じた位置にある時に蓋側壁に少なくとも部分的に重なる側壁を設けることにより、容器は、容器内にある消費財を有効に保護することができる。側壁の上縁には、後壁に隣接する側壁の縁部から前壁に隣接する側壁の縁部へ下向きに角度を付けることができる。
【００２１】
外側ハウジング及び内側ハウジングは、単一の積層ブランクから一体的に形成されることが好ましい。蓋の少なくとも１つの壁は、内側ハウジング及び外側ハウジングと一体であることが好ましい。すなわち、容器のヒンジ線が、外側ハウジングの後壁パネル及び内側ハウジングの後壁パネルに形成される。それによってヒンジの強度を有利に改善することができる。
【００２２】
容器は、以下に限定されないが、ボール紙、板紙、プラスチック、金属、又はその組合せを含むあらゆる適切な材料から形成することができる。容器は、１つ又はそれよりも多くの折り畳んだ積層ボール紙ブランクから形成することが好ましく、ボール紙の重量は、１平方メートル当たり約１００グラム〜１平方メートル当たり約３５０グラムとすることが好ましい。
【００２３】
上述したように、本発明による容器は、直角縦縁及び直角横縁を有する矩形平行六面体の形状とすることができる。代替的に、容器は、１つ又はそれよりも多くの丸みを付けた縦縁、丸みを付けた横縁、傾斜を付けた縦縁又は傾斜を付けた横縁、又はその組合せを含むことができる。例えば、本発明による容器は、限定されないが、以下のものを含むことができる。
−前壁上にある１つ又は２つの縦方向の丸み又は傾斜を付けた縁部、及び／又は後壁上にある１つ又は２つの縦方向の丸み又は傾斜を付けた縁部、
−前壁上にある１つ又は２つの横断方向の丸み又は傾斜を付けた縁部、及び／又は後壁上にある１つ又は２つの横断方向の丸み又は傾斜を付けた縁部、
−前壁上にある１つの縦方向の丸み付き縁部及び１つの縦方向の傾斜付き縁部、及び／又は後壁上にある１つの横断方向の丸み付き縁部及び１つの横断方向の傾斜付き縁部、
−前壁上にある１つ又は２つの横断方向の丸み又は傾斜を付けた縁部、及び／又は前壁上にある１つ又は２つの縦方向の丸み又は傾斜を付けた縁部、
−第１の側壁上にある２つの縦方向の丸み又は傾斜を付けた縁部又は第２の側壁上にある２つの横断方向の丸み又は傾斜を付けた縁部。
【００２４】
容器が１つ又はそれよりも多くの丸み付き縁部を備え、かつ１つ又はそれよりも多くの積層ブランクから製造される場合に、ブランクは、組み立てられた容器内に各丸み付き縁部を形成するために３つ、４つ、５つ、６つ、又は７つの刻み線又は折り線を含むことが好ましい。刻み線又は折り線は、容器の内側上又は容器の外側上のいずれかにあることができる。刻み線又は折り線は、互いに約０．３ｍｍ〜約４ｍｍだけ離間することが好ましい。
【００２５】
折り線間又は刻み線間の間隔は、積層ブランクの厚みの関数であることが好ましい。折り線間又は刻み線間の間隔は、積層ブランクの厚みよりも約０．５倍〜約４倍大きいことが好ましい。
【００２６】
容器が１つ又はそれよりも多くの傾斜付き縁部を含む場合に、傾斜付き縁部は、約１ｍｍ〜約１０ｍｍ、好ましくは約２ｍｍ〜約６ｍｍの幅を有することが好ましい。代替的に、容器は、容器の縁部上に２つの別々の傾斜部が形成されるように離間した３つの平行な折り線又は刻み線によって形成された二重傾斜部を含むことができる。
【００２７】
容器が傾斜付き縁部を備え、かつ１つ又はそれよりも多くの積層ブランクから製造される場合に、傾斜部は、積層ブランクの２本の平行な折り線又は刻み線によって形成することができる。折り線又は刻み線は、第１の壁と第２の壁の間で縁部に対して対称的に配置することができる。代替的に、折り線又は刻み線は、傾斜部が容器の第２の壁内よりも容器の第１の壁内へより遠くまで到達するように、第１の壁と第２の壁の間で縁部に対して非対称的に配置することができる。
【００２８】
代替的に、容器は、非矩形の横断面、例えば、三角形又は六角形のような多角形、半長円形、又は半円形の横断面を有することができる。
【００２９】
本発明による容器は、例えば、シガレット、シガー、又はシガリロのような細長い喫煙物品のためのパックとして特定の用途を見出す。容器の寸法を適切に選択することにより、本発明による容器は、従来サイズ、キングサイズ、スーパーキングサイズ、スリム、又はスーパースリムシガレットの異なる数に応じて設計することができることが認められるであろう。代替的に、菓子類又は乾燥食品のような他の消費財を容器の内側に収納することができる。
【００３０】
容器の寸法を適切に選択することにより、本発明による容器は、異なる総数の喫煙物品又は異なる構成の喫煙物品を保持するように設計することができる。例えば、容器の寸法を適切に選択することにより、本発明による容器は、合計で１０本〜３０本の喫煙物品を保持するように設計することができる。
【００３１】
喫煙物品は、喫煙物品の総数に応じて異なる丁合で配置することができる。例えば、喫煙物品は、６本、７本、８本、９本、又は１０本から構成される単一の列に配置することができる。代替的に、喫煙物品は、２つ又はそれよりも多くの列に配置することができる。２つ又はそれよりも多くの列には、同数の喫煙物品を収めることができる。例えば、喫煙物品は、５本、６本、７本、８本、９本、又は１０本から構成される２列、５本又は７本から構成される３列、４本、５本、又は６本から構成される４列に配置することができる。代替的に、２つ又はそれよりも多くの列は、互いに異なる数の喫煙物品を収めた少なくとも２つの列を含むことができる。例えば、喫煙物品は、５本から構成される列及び６本から構成される列（５−６）、６本から構成される列及び７本から構成される列（６−７）、７本から構成される列及び８本から構成される列（７−８）、５本から構成される中央の列及び６本から構成される２つの外側の列（６−５−６）、５本から構成される中央の列及び７本から構成される２つの外側の列（７−５−７）、６本から構成される中央の列及び５本から構成される２つの外側の列（５−６−５）、６本から構成される中央の列及び７本から構成される２つの外側の列（７−６−７）、７本から構成される中央の列及び６本から構成される２つの外側の列（６−７−６）、９本から構成される中央の列及び８本から構成される２つの外側の列（８−９−８）、又は５本から構成される１つの外側の列及び７本から構成される１つの外側の列を含む６本から構成される中央の列（５−６−７）に配置することができる。
【００３２】
本発明による容器は、同じ種類又は銘柄の喫煙物品を保持することができ、又は異なる種類又は銘柄の喫煙物品を保持することができる。更に、異なる長さ（例えば、約４０ｍｍ〜約１８０ｍｍ）、直径（例えば、約４ｍｍ〜約９ｍｍ）の喫煙物品のみならず、フィルタレス喫煙物品及び様々なフィルタチップを含む喫煙物品の両方を収めることができる。更に、喫煙物品は、風味の強度、吸引抵抗、及び粒子状物質総送出量が異なることができる。容器の寸法は、喫煙物品の長さ及び喫煙物品の丁合に適応されることが好ましい。一般的に、容器の外形寸法は、容器の内側に収納された喫煙物品の１つ又は複数の束の寸法よりも約０．５ｍｍ〜約５ｍｍだけ大きい。
【００３３】
本発明による容器の長さ、幅、及び奥行きは、蓋が閉じた位置で得られる容器の全体寸法が、２０本のシガレットの一般的な使い捨てヒンジ蓋パックの寸法と同様になるようにすることができる。
【００３４】
本発明による容器は、容器の底壁から上壁まで高さを測定した場合に、高さが約６０ｍｍ〜約１５０ｍｍであることが好ましく、約７０ｍｍ〜約１２５ｍｍであることがより好ましい。
【００３５】
本発明による容器は、容器の一方の側壁から他方の側壁まで幅を測定した場合に、幅が、約１２ｍｍ〜約１５０ｍｍであることが好ましく、約７０ｍｍ〜約１２５ｍｍであることがより好ましい。
【００３６】
本発明による容器は、容器（箱と蓋の間のヒンジを含む）の前壁から後壁まで奥行きを測定した場合に、奥行きが、約６ｍｍ〜約１５０ｍｍであることが好ましく、約１２ｍｍ〜約２５ｍｍであることがより好ましい。
【００３７】
容器の高さと容器の奥行きとの比は、約０．３対１〜約１０対１であることが好ましく、約２対１〜約８対１であることがより好ましく、約３対１〜約５対１であることが最も好ましい。
【００３８】
容器の幅と容器の奥行きとの比は、約０．３対１〜約１０対１であることが好ましく、約２対１〜約８対１であることがより好ましく、約２対１〜約３対１であることが最も好ましい。
【００３９】
蓋後壁の高さと外側スリーブの箱後壁の高さとの比は、約０対１（蓋が容器の上縁に位置する時）〜約１対１であることが好ましく、約１対５〜約１対１０であることがより好ましく、約１対６〜約１対８であることが最も好ましい。
【００４０】
外側スリーブの蓋前壁の高さと外側スリーブの箱前壁の高さとの比は、約１対０（蓋が前壁全体を覆う時）と約１対１０にあることが好ましく、約１対１〜約１対５であることがより好ましく、約１対２〜１対３であることが最も好ましい。
【００４１】
容器が喫煙物品を含む場合に、容器は、廃棄物区画（例えば、灰又は残片）、又は他の消費材、例えば、マッチ、ライター、消火手段、気分転換剤、又は電子機器を更に含むことができる。他の消費財は、容器の外側に取り付けられ、喫煙物品と共に容器内に収められ、容器の個別の区画にあり、又はその組合せとすることができる。
【００４２】
本発明による容器の外部面には、製造業者又は銘柄のロゴ、商標、スローガン、及び他の消費者情報、並びに標示を例えばフレネルレンズによって印刷、エンボス加工、デボス加工、又は他の方法で装飾することができる。
【００４３】
本発明による容器がシガレット又は他の細長い喫煙物品の束を納める場合に、喫煙物品は、例えば、金属箔又は金属化紙から構成される内側ライナ内に包装することが好ましい。
【００４４】
充填された状態で、本発明による容器は、従来の方法、例えば、高密度又は低密度ポリエチレン、ポリプロピレン、配向ポリプロピレン、ポリ塩化ビニリデン、セルロースフィルム、又はその組合せの透明ポリマーフィルムで収縮包装又はそうでなければ上包装することができる。本発明による容器を上包装する場合に、上包装紙は、１つ又はそれよりも多くの開封テープを含むことができる。更に、上包装紙には、画像、消費者情報、又は他のデータを印刷することができる。
【００４５】
本発明の更に別の態様により、本明細書に説明した容器を形成するための単一の積層ブランクを提供する。積層ブランクは、内側ハウジングを形成する第１の部分を含む。第１の部分は、内側ハウジングの蓋を形成するために第１の部分の後壁を横切って延びる１つ又はそれよりも多くの切り込み及びヒンジ線を含む。積層ブランクはまた、外側ハウジングを形成する第２の部分を含む。第２の部分は、外側ハウジングに開口部を形成するために１つ又はそれよりも多くの切り欠きを含む。更に、第２の部分は、外側ハウジングの少なくとも１つのスリットを形成する少なくとも１つの切り込みを含む。
【００４６】
単一の積層ブランクを与えることにより、容器は、より容易に製造することができる。
【００４７】
第２の部分は、蓋の少なくとも１つの壁パネルを形成するために、第２の部分の後壁パネルを横切って延びる１つ又はそれよりも多くの切り込み及びヒンジ線を更に含むことが好ましい。
【００４８】
外側ハウジングと内側ハウジングは、外側ハウジングのパネル及び内側ハウジングのパネルの縦縁に沿って接続されることが好ましい。第１の態様において、外側ハウジング及び内側ハウジングは、外側ハウジングの側面パネル及び内側ハウジングの前面パネルの縦縁に沿って接続される。第２の態様において、外側ハウジング及び内側ハウジングは、外側ハウジングの後面パネル及び内側ハウジングの側面パネルの縦縁に沿って接続される。
【００４９】
本発明の容器は、以下で詳しく説明するように、単一の積層ブランクから従来の組み立て方法及び装置を使用して組み立てられるようになっている。例えば、容器は、喫煙物品のパックを組み立てるために使用するタイプであるＢｅｒｇａｍｉ（登録商標）型機械上で自動的に組み立てることができる。
【００５０】
本発明により、以下で説明するように、単一の積層ブランクから本発明による容器を組み立てる方法も提供する。
【００５１】
積層ブランクは、最初に、それを縦方向折り畳み線に沿って折り畳み、内側ハウジングが外側ハウジング内にある開放端スリーブを形成するように外側ハウジン及び内側ハウジングをそれらのそれぞれの側壁で接着することによって部分的に組み立てられる。得られた開放端スリーブは、効率良く貯蔵し又は搬送するためにこの段階で有利に平らにすることができる。
【００５２】
上述の部分組立と同じか又は別の工程で、次に、消費財が一方の開口部を通して内側ハウジング内へ挿入される。消費財は、容器の底部に挿入することが好ましい。充填されたパックが自動包装機械を経て進行する時に、底パネルは、例えば、好ましくは約９０度だけ消費財に向けて内側に折り畳まれる。内側底パネルの外面に接着剤が適用される。
【００５３】
接着剤の適用に続いて、外側底パネルを内側底パネルに向けて内側に折り畳み、外側底パネルが内側底パネルに接着される。
【００５４】
容器の組み立て中に、蓋を形成するブランクのパネルも、折り畳まれて接着される。
【００５５】
添付図面を参照して本発明を単に一例としてより詳しく以下に説明する。
【図面の簡単な説明】
【００５６】
【図１（ａ）】本発明の一実施形態による容器の斜視図である。
【図１（ｂ）】本発明の一実施形態による容器の斜視図である。
【図１（ｃ）】本発明の一実施形態による容器の斜視図である。
【図１（ｄ）】本発明の一実施形態による容器の斜視図である。
【図２】図１に示す容器の形成に適する積層ブランクを示す図である。
【図３（ａ）】本発明の更に別の実施形態による容器の斜視図である。
【図３（ｂ）】本発明の更に別の実施形態による容器の斜視図である。
【図３（ｃ）】本発明の更に別の実施形態による容器の斜視図である。
【図３（ｄ）】本発明の更に別の実施形態による容器の斜視図である。
【図４】図２に示す容器の形成に適する積層ブランクを示す図である。
【発明を実施するための形態】
【００５７】
図１（ａ）に示す容器１００は、矩形平行六面体形状であり、箱１０２と、箱１０２に取り付けられて第１の閉じた位置で示される蓋１０４とを含む。箱は、外側部分と内側部分を含む。蓋は、容器の後壁上のヒンジ線で箱１０２に取り付けられる。ヒンジ線は、容器の上部から少し離れた所で容器の後壁を横切って実質的に水平に延びる。蓋は、外側部分及び内側部分の両方と一体の後壁パネルを含む。喫煙物品（図示しない）の束は、容器１００の内側ハウジング内に収納される。フラップを容器の内部へ折り畳むことによって蓋の自由縁が形成され、こうして強化された鈍い縁部が形成される。見て分るように、蓋１０４は、箱１０２内に位置付けられ、弾性フラップ１０６が蓋前壁パネルの外側に置かれる。２つのフラップを容器の内部に向けて折り畳むことによって弾性フラップ１０６の三角形状の自由縁が形成され、こうして強化された鈍い縁部が形成される。容器は、この構成で製造されかつ供給されることが好ましい。見て分るように、容器の側壁１０７は、蓋の自由縁を過ぎて延び、その結果、蓋が閉じた位置にある時に自由縁は見えず又はアクセスできない。この実施形態において、側壁の自由縁は、容器の後壁から容器の前壁へ下向きに角度が付いている。側壁の上部は、容器の上部に後壁でほぼ隣接し、スリットの上部に前壁でほぼ隣接する。勿論、側壁は、他の構成を取ることができる。
【００５８】
図１（ｂ）は、蓋１０４が部分的に開いた位置にある図１（ａ）の容器１００を示している。見て分るように、蓋は、この部分的に開いた位置で弾性フラップ１０６に対して作用している。外側ハウジングの前壁の縁部にスリット１０８が設けられ、外側ハウジングの自由縁から延びている。スリットにより、弾性フラップは、蓋を第１の閉じた位置から開いた位置に移動させるために偏向することができる。容器の反対側の前部コーナに同等のスリットが設けられるが、図１（ｂ）には示されていない。
【００５９】
図１（ｃ）は、蓋１０４が部分的に閉じた位置にある図１（ａ）の容器１００を示している。蓋が弾性フラップの内側にあった上述の第１の閉じた位置と比べて、ここでは蓋は、弾性フラップの外側にある。蓋は、弾性フラップに作用してそれを容器の内部に向けて偏向させる。この部分的に閉じた位置では、蓋の自由縁は、箱の前部コーナのスリットに係合する直前である。図１（ａ）及び図１（ｂ）に示すように、弾性フラップは、三角形状を有し、三角形の先端が容器の前壁のほぼ中央にある。見て分るように、弾性フラップの自由縁は、前壁の中央から側壁に向けて下向きに角度が付き、それによって弾性フラップが閉じる蓋を邪魔することなく蓋は容易に閉じることができることが保証される。
【００６０】
図１（ｄ）は、第２の閉じた位置にある容器１００を示している。見て分るように、蓋１０４は、弾性フラップの外側に置かれる。蓋は、部分的にスリット１０８内に置かれ、蓋の表面とスリット１０８の縁部との間の摩擦によって第２の閉じた位置に保持される。第１の閉じた位置と第２の閉じた位置では、容器は外観が異なる。第１の閉じた位置及び第２の閉じた位置の両方で、蓋は、箱の外側部分の側壁パネル内に置かれる。
【００６１】
図２に示すように、単一の積層ブランク２００は、外側部分２０２と内側部分２０４を含む。ブランク２００は、図１の容器１００を形成するようになっている。外側部分２０２は、箱１０２を形成し、かつ前壁パネル２０６、３つの側壁パネル２０８、２０９、及び２１０、並びに後壁パネル２１２を含む。２つの側壁パネル２０８及び２０９は、容器の後部から容器の前部への角度付き上縁を有する。角度付き上縁は、蓋がより容易に開いてかつ閉じることができるように設けられる。前壁パネル２０６は、これらの前壁パネルの底縁から垂下する底壁パネル２１４と、前壁パネルの上縁から垂下する２つのフラップ２１５とを含む。フラップ２１５は、容器の内部に向けて折り畳まれるようになっており、それによって強化された自由縁を有する前壁が形成される。前壁パネル２０６とそれぞれの側壁パネル２０８及び２０９との間の折り畳み線に２つのスリット２１６及び２１７が設けられる。後壁パネルは、蓋１０４の一部分を含む。蓋後壁パネル２１８は、後壁パネルの上縁から垂下し、蓋上壁パネル２２０は、蓋後壁パネル２１８から垂下する。見て分るように、ヒンジ線２２２は、２つの切り込みを有し、それによってユーザが容器の蓋をより容易に開くことができる。
【００６２】
内側部分２０４は、容器１００の内側ハウジングを形成し、内側前壁パネル２２４、内側後壁パネル２２６、並びに２つの側壁パネル２２８及び２３０を含む。前壁パネルは、蓋１０４の一部分を含む。内側前壁パネル２２４内の切り込みによって蓋前壁パネル２３２が形成される。蓋前壁パネル２３２から垂下するフラップ２３４が形成される。フラップ２３４は、蓋前壁を強化するために容器の内部に向けて折り畳まれるようになっている。フラップ２３４は、蓋前壁パネルの内面に取り付けられる。蓋上壁パネル２３６は、蓋前壁パネル２３２から垂下する。それぞれの側壁パネル２１０及び２２８内の切り込みによって蓋側壁パネル２３８及び２４０が形成される。蓋後壁パネル２４２は、ヒンジ線２２２を通じて内側後壁パネル２２６から垂下する。付加的な蓋側壁パネル２４４が設けられ、かつ側壁パネル２３０内の切り込みによって形成される。底壁パネル２４６は、内側後壁パネル２２６の底縁から垂下する。
【００６３】
外側部分２０２は、外側部分の側壁パネル２１０及び内側部分の前壁パネル２２４によって形成された縁部に沿って内側部分２０４に接続される。
【００６４】
単一の積層ブランク２００は、最初に、側壁パネル２２８及び２３０を内側後壁パネル２２６へ及び容器の内部に向けて約９０度折り畳むことによって容器１００に形成される。次に、側壁２２８が、内側前壁パネル２２４へ及び容器の内部に向けて約９０度折り畳まれる。外側部分の側壁２１０は、内側前壁２２４へ約９０度折り畳まれる。次に、側壁２３０が、側壁２１０の内部へ取り付けられる。次に、フラップ２３４が、容器の内部に向けて約１８０度折り畳まれ、次に、蓋前面パネル２３２の内部に取り付けられる。
【００６５】
外側後壁パネル２１２が、側壁パネル２１０へ約９０度折り畳まれる。フラップ２１５が、容器の内部へ向けて約１８０度折り畳まれ、次に、後壁パネル２１２の内面に取り付けられる。側壁パネル２０９が、後壁パネル２１２へ約９０度折り畳まれ、次に、側壁パネル２０８が、後壁パネル２１２へ約９０度折り畳まれる。次に、側壁パネル２０８が、側壁パネル２１０の外部面に取り付けられる。蓋は、その前壁が弾性フラップの内側になるように形成される。
【００６６】
これは、消費財を受け入れるための開放端チューブの形態とされたハウジングを形成する。次に、消費財をハウジングに挿入するためにＢｅｒｇａｍｉ（登録商標）型機械が使用され、上壁パネル２２０、２３６及び底壁パネル２１４、２４６を関連するタブと共に容器の内部に向けて折り畳み、それらを一緒に取り付けて完成容器１００を形成する。
【００６７】
必要に応じて、上述の形成手順が行われる順序は変更することができる。
【００６８】
図３は、容器の代替実施形態を示している。見て分るように、容器３００は、ヒンジ線が容器の狭い壁上にあることを除いて容器１００に類似する。図３（ａ）に示す容器３００は、ここでもまた矩形平行六面体であり、箱３０２と、箱３０２に取り付けられて第１の閉じた位置で示された蓋３０４とを含む。箱は、外側部分と内側部分を含む。蓋は、容器の後壁上のヒンジ線で箱３０２に取り付けられる。この場合に、後壁は、比較的狭い壁である。ヒンジ線は、容器の上部から少し離れた所で容器の後壁を横切って実質的に水平に延びる。蓋は、外側部分及び内側部分の両方に一体の後壁パネルを含む。喫煙物品（図示しない）の束は、容器３００の内側ハウジング内に収納される。この場合に、蓋の自由縁は、補強フラップを持たない。見て分るように、蓋３０４は、箱３０２内に位置付けられ、弾性フラップ３０６が蓋前壁パネルの外側に置かれる。
【００６９】
図３（ｂ）は、蓋３０４が部分的に開いた位置にある図３（ａ）の容器３００を示している。見て分るように、蓋は、この部分的に開いた位置では、弾性フラップ３０６に対して作用している。外側ハウジングの前壁の縁部にスリット３０８が設けられ、かつ外側ハウジングの自由縁から延びている。スリットにより、弾性フラップは、蓋を第１の閉じた位置から開いた位置に移動させるために偏向することができる。容器の反対側の前部コーナに同等のスリットが設けられるが、図３（ｂ）には示されていない。
【００７０】
図３（ｃ）は、蓋３０４が部分的に閉じた位置にある図３（ａ）の容器３００を示している。蓋が弾性フラップの内側にあった上述の第１の閉じた位置と比べて、ここでは蓋は、弾性フラップの外側にある。蓋は、弾性フラップに作用してそれを容器の内部に向けて偏向させる。この部分的に閉じた位置では、蓋の自由縁は、箱の前部コーナのスリット３０８及び３１０に係合する直前である。弾性フラップの自由コーナは面取りされ、より審美性がある形状を形成し、かつ蓋がスリットとより容易に係合することを可能にする。
【００７１】
図３（ｄ）は、第２の閉じた位置にある容器３００を示している。見て分るように、蓋３０４は、弾性フラップの外側に置かれる。蓋は、部分的にスリット３０８及び３１０内に置かれ、蓋の面とスリット３０８及び３１０の縁部との間の摩擦によって第２の閉じた位置に保持される。第１の閉じた位置と第２の閉じた位置では、容器は外観が異なる。第１の閉じた位置及び第２の閉じた位置の両方で、蓋は、箱の外側部分の側壁パネル内に置かれる。
【００７２】
図４に示すように、単一の積層ブランク４００は、外側部分４０２と内側部分４０４を含む。ブランク４００は、図３の容器３００を形成するようになっている。外側部分４０２は、箱３０２を形成し、かつ前壁パネル４０６、２つの側壁パネル４０８及び４１０、並びに後壁パネル４１２を含む。２つの側壁パネル４０８及び４１０は、容器の後部から容器の前部に角度が付いた上縁を有する。角度付き上縁は、蓋がより容易に開いてかつ閉じることができるように設けられる。側壁パネル４０８及び４１０は、これらの側壁パネルの底縁から垂下するそれぞれの底壁パネル４１４及び４１６を含む。前壁パネル４０６とそれぞれの側壁パネル４０８及び４１０との間の折り畳み線に２つのスリット４１８及び４２０が設けられる。後壁パネルは、蓋３０４の一部分を含む。蓋上壁パネル４２２は、後壁パネル４１２の上縁から垂下する。
【００７３】
内側部分４０４は、容器３００の内側ハウジングを形成し、かつ内側前壁パネル４２４、内側後壁パネル４２６、並びに２つの側壁パネル４２８及び４３０を含む。前壁パネルは、蓋３０４の一部分を含む。内側前壁パネル４２４内の切り込みによって蓋前壁パネル４３２が形成される。それぞれの側壁パネル４２８及び４３０内の切り込みによって蓋側壁パネル４３４及び４３６が形成される。蓋後壁パネル４３８は、ヒンジ線を通じて内側後壁パネル４２６から垂下する。蓋上壁パネル４４０及び４４２は、それぞれの蓋側壁パネル４３４及び４３６から垂下する。
【００７４】
外側部分４０２は、外側部分の後壁パネル４１２及び内側部分の側壁パネル４２８によって形成された縁部に沿って内側部分４０４に接続される。
【００７５】
単一の積層ブランク４００は、最初に、後壁パネル４２６を内側壁パネル４３０へ及び容器の内部に向けて約９０度折り畳むことによって容器３００に形成される。次に、前壁パネル４２４は、側壁パネル４３０へ及び容器の内部に向けて約９０度折り畳まれる。外側部分の後壁パネル４１２は、側壁パネル４２８へ約９０度折り畳まれる。次に、ハッチを付した領域内で、後壁パネル４１２は、後壁パネル４２６の外部へ取り付けられる。
【００７６】
外側壁パネル４１０は、後壁パネル４１２へ約９０度折り畳まれる。前壁パネル４０６は、側壁パネル４１２へ約９０度折り畳まれ、次に、側壁パネル４０８は、前壁パネル４０６へ約９０度折り畳まれる。次に、側壁パネル４０８は、側壁パネル４２８の外部面に取り付けられる。蓋は、その前壁が弾性フラップの内側になるように形成される。
【００７７】
これは、消費財を受け入れるための開放端チューブの形態とされたハウジングを形成する。次に、消費財をハウジングに挿入するためにＢｅｒｇａｍｉ（登録商標）型機械が使用され、上壁パネル４４０、４４２及び底壁パネル４１４、４１６を関連するタブと共に容器の内部に向けて折り畳み、それらを一緒にハッチした領域に取り付けて完成容器３００を形成する。
【００７８】
全ての図面において、破線は「折り畳み」線を表し、実線は「切り込み」線を表している。
【符号の説明】
【００７９】
１００  容器
１０２  箱
１０４  蓋
１０６  弾性フラップ
１０８  スリット
【図１（ａ）】
2014533641.tif 000003
【図１（ｂ）】
2014533641.tif 000004
【図１（ｃ）】
2014533641.tif 000005
【図１（ｄ）】
2014533641.tif 000006
【図２】
2014533641.tif 000007
【図３（ａ）】
2014533641.tif 000008
【図３（ｂ）】
2014533641.tif 000009
【図３（ｃ）】
2014533641.tif 000010
【図３（ｄ）】
2014533641.tif 000011
【図４】
2014533641.tif 000012
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
消費財のための容器であって、
容器の後壁を横切って延びるヒンジ線の周りに閉じた位置と開いた位置の間でピボット回転可能な蓋と、
少なくとも１つのスリットを含む開口部を有する箱であって、該スリット又は各スリットが、該箱の前壁のそれぞれの縁部に位置付けられて該開口部から延びる前記箱と、
を含み、
前記蓋は、前記箱上にそれが該箱の前記開口部に一致するように取り付けられ、それによって該蓋の閉じた位置で、該蓋は、該箱の前記スリット又は各スリットと係合して該蓋を閉じた位置に保持する、
ことを特徴とする容器。
【請求項２】
前記箱は、２つのスリットを含み、各スリットが、該箱の前壁のそれぞれの縁部に位置付けられて前記開口部から延びることを特徴とする請求項１に記載の容器。
【請求項３】
前記２つのスリットは、前記箱の前記前壁から延びる弾性フラップを形成し、それによって前記蓋の第２の閉じた位置で、該弾性フラップは、該蓋に作用して該蓋を該第２の閉じた位置に保持することを特徴とする請求項２に記載の容器。
【請求項４】
前記弾性フラップは、該弾性フラップの少なくとも１つの自由縁を硬くするようになった少なくとも１つの補強要素を含むことを特徴とする請求項３に記載の容器。
【請求項５】
前記少なくとも１つの補強要素は、前記弾性フラップと一体であることを特徴とする請求項４に記載の容器。
【請求項６】
前記蓋は、該蓋の少なくとも１つの自由縁を強化するようになった少なくとも１つの補強要素を含むことを特徴とする請求項１から請求項５のいずれか１項に記載の容器。
【請求項７】
前記蓋は、内側ハウジングの少なくとも一部分を形成し、前記箱は、外側ハウジングの少なくとも一部分を形成し、
前記内側ハウジングは、前記消費財を収納するようになっている、
ことを特徴とする請求項１から請求項６のいずれか１項に記載の容器。
【請求項８】
前記外側ハウジングは、前記前壁及び前記後壁に隣接して前記内側ハウジングの前記側壁を超えて延びるようになった側壁を有し、それによって前記蓋の閉じた位置で、該外側ハウジング側壁は、該蓋の前記側壁と少なくとも部分的に重なることを特徴とする請求項７に記載の容器。
【請求項９】
複数の喫煙物品を含むことを特徴とする請求項１から請求項８のいずれか１項に記載の容器。
【請求項１０】
請求項８に記載の容器を形成するための積層ブランクであって、
内側ハウジングを形成する第１の部分であって、該内側ハウジングの蓋を形成するために該第１の部分の後壁パネルを横切って延びる１つ又はそれよりも多くの切り込み及びヒンジ線を含む前記第１の部分と、
外側ハウジングを形成する第２の部分であって、該外側ハウジングに開口部を形成するための１つ又はそれよりも多くの切り欠きを含む前記第２の部分と、
を含み、
前記第２の部分は、前記外側ハウジングの少なくとも１つのスリットを形成するための少なくとも１つの切り込みを更に含む、
ことを特徴とする積層ブランク。
【国際調査報告】
2014533641.tif 000013
2014533641.tif 000014